(57)【要約】【課題】 開閉操作の容易なカードリーダーのケース構造を提供する。【解決手段】  ケース構造は、上蓋２２１及び下蓋２２２により構成し、該上蓋片側に弾性フック２２１１１及び係合ノッチ２２１１２を設け、これに対応する下蓋片側に係合凸柱２２２１１及びサポート軸柱２２２１２を設ける。該係合ノッチと該サポート軸柱を予め嵌合後、該弾性フックをスライド移動Ｓ１、Ｓ２して、該係合凸柱に弾性フックを係合し、或いは解除する。【選択図】  図２
0003128568.tif 000002
【実用新案登録請求の範囲】
【請求項１】
上蓋、下蓋からなり、
該上蓋側面の前後にそれぞれスライド移動可能な弾性フック及び係合ノッチを設け、
該下蓋には該上蓋側面に対応する側面に該弾性フックに係合する係合凸柱及び該係合ノッチに係合するサポート軸柱をそれぞれ対応して設け、
該上蓋の係合ノッチを該下蓋のサポート軸柱に係合し、次いで該上蓋の弾性フックをスライド移動して下蓋の係合凸柱に係合するようにしたことを特徴とするカードリーダーのケース。
【考案の詳細な説明】
【技術分野】
【０００１】
本考案は、一種のカードリーダーのケース構造に関する。特に、ケース構造の上下蓋の係合構造の設計に係る。
【背景技術】
【０００２】
科学技術の発展に従い、人々はより高い利便性を求めており、カードによる自動販売機利用は現代人のニーズに合致している。
図1に示すように、自動販売機10上にはカードリーダー11を設置する。該カードリーダー11上には通常カード認識ユニット111を搭載し、カード12真偽の識別に用いる。その識別方式は通常はセンサー112により該カード12表面上のマークを読み取り、プロセッサー113によりその分析比較対照を行う。
しかし昨今、カードリーダーの機能は日増しに複雑で精密になっており、カードリーダー11の設計者或いはそのメンテナンス担当者は、定期的或いは不定期にそのカードリーダー11を開き、内部メンテナンス或いは内部ソフトウエア或いはファームウエア或いはハードウエアを更新しなければならない。最も多いメンテナンス任務はクリーニングである。該カードリーダー11は数個のネジ(図示なし)により取り付けられるため、メンテナンス担当者は工具を用いて、そのネジを1個ずつ緩め、カードリーダー11或いはその上蓋114を分解し、必要な任務の完遂後は、一度緩めたネジをまた1個ずつ締め戻す必要がある。
本考案は、新しいカードリーダーのケース構造を提供し、その設計者或いはそのメンテナンス担当者の作業の負担を軽減する。
この他、カードリーダーは自動販売機或いはゲーム機に応用される他、多くの一般の商店等に広く普及している。しかし、そのメンテナンス或いは更新作業は、上記自動販売機同様に煩雑であるため、本考案は、新しいカードリーダーのケース構造を提供し、そのメンテナンス或いはその更新を簡易にする。
【特許文献１】特開２００４−１４６７４１号公報
【考案の開示】
【考案が解決しようとする課題】
【０００３】
公知構造には以下の欠点があった。
すなわち機能が日増しに複雑で精密になっているカードリーダーにおいては、定期的或いは不定期に内部メンテナンス、或いは内部ソフトウエア或いはファームウエア或いはハードウエアの更新が必要であるが、カードリーダーはネジにより螺固されるため、工具を用いネジを1個ずつ緩めて分解し、作業の終了後には、一度緩めたネジをまた1個ずつ締め戻す必要があり、非常に煩雑で面倒である。
本考案は上記構造の問題点を解決したカードリーダーのケース構造を提供するものである。
【課題を解決するための手段】
【０００４】
上記課題を解決するため、本考案は下記のカードリーダーのケース構造を提供する。
それはカードリーダーのケース構造を提供し、公知のカードリーダーのメンテナンス或いは更新等の複雑な手順を簡易にし、
またそれは自動販売機、ゲーム機或いは関連機器設備上のカードリーダーに用いられるケース構造を提供し、公知構造の設計者或いはそのメンテナンス担当者の作業負担を軽減し、
すなわちそれは、少なくとも上蓋構造及び下蓋構造を含み、該ケース構造の上蓋構造の少なくとも片側には弾性フック及び係合ノッチを設置し、該弾性フック及び該係合ノッチに対応し、該下蓋構造の対応片側には係合凸柱及びサポート軸柱を設置し、
ここでのカードリーダーは紙幣挿入機或いは他の関連読取設備などのデータ読取装置を代用可能で、つまり本考案はカードリーダーのケース構造により最適実施例を形成して本考案の精神を明らかにし、よってここでのケース構造はカードリーダーに限定されるものではなく、あらゆる読取装置上に応用可能で、
該上蓋構造により該下蓋構造を蓋合する時には、先ず該上蓋構造の係合ノッチ及び該サポート軸柱を予め嵌合するが、この時、該上蓋構造は該下蓋構造の嵌合位置と密着を形成し、続いて該弾性フックにそれが具える弾性により、該上蓋構造の設置位置において移動動作を生じさせ、これにより該上蓋構造及び該下蓋構造は蓋合され、最後に該弾性フックはその移動動作から生まれた反対方向への作用力により、移動前の位置を回復し、こうして該弾性フックは該下蓋構造の係合凸柱に係合され、該上蓋構造は該下蓋構造への緊密係合を形成することを特徴とするカードリーダーのケース構造である。
【考案の効果】
【０００５】
上記のように、本考案のカードリーダーのケース構造は、自動販売機、ゲーム機或いは関連機器設備のカードリーダー上に応用可能で、そのカードリーダーは紙幣挿入機或いは他の関連読取設備など他のデータ読取装置を代用可能である。これにより公知のカードリーダーではメンテナンス或いは更新等の際に必要であった複雑な手順を簡易にし、また本考案のケース構造により、知構造の設計者或いはそのメンテナンス担当者の作業負担を軽減することができる。
【考案を実施するための最良の形態】
【０００６】
図2に示すように、本考案のカードリーダーのケース構造22は、上蓋構造221及び下蓋構造222からなり、該上蓋構造221内或いは該下蓋構造222内に予め固定することができる。
該上蓋構造221の少なくとも片側面2211には弾性フック22111及び係合ノッチ22112を設ける。該弾性フック22111上には滑り止めの棒状突起列221111を形成して弾性フック22111に外力を施すことにより該側面2211上においてスライド移動動作S1及びS2を行うことができる。さらに、該上蓋構造221の側面2211に対応する該下蓋構造222の片側面2221にも係合凸柱22211及びサポート軸柱22212を設ける。ここでのカードリーダーは、紙幣挿入機或いは他の関連読取設備などのデータ読取装置に適用可能である。
【０００７】
次に図3に示すように、該上蓋構造221の係合ノッチ22112は該下蓋構造222のサポート軸柱22212に嵌合する。
さらに図4に示すように、該上蓋構造221の係合ノッチ22112を該下蓋構造222のサポート軸柱22212に嵌合した状態で、該棒状突起列221111を押して該弾性フック22111を矢印方向に操作することにより、該側面2211上においてスライド移動動作S1を行い、該上蓋構造221を該下蓋構造222に蓋合する。このように蓋合した状態で、該上蓋構造221の弾性フック22111は、該下蓋構造222のサポート軸柱22211に嵌合する。
続いて図5に示すように、該上蓋構造221の係合ノッチ22112が該下蓋構造222のサポート軸柱22212に嵌合された状態で、該上蓋構造221が該下蓋構造222と蓋合した状態で、該棒状突起列221111の押圧力を解除すれば、該弾性フック22111はそのバネの反作用力により移動動作S2を行い、これにより該弾性フック22111は該係合凸柱22211を係合する。
【０００８】
さらに図6に示す例において、本考案カードリーダーのケース構造のカードリーダー6は、外ケース61を備える。該外ケース61は、少なくとも上蓋611及び下蓋612からなる。該上蓋611の両側面6111にはフック61111及びノッチ61112を設ける。該フック61111上にはさらに滑り止めの棒状突起列611111を形成し、外力を施すことにより該フック61111は該両側面6111上において外方に向かう移動動作S3を行う。さらに、該上蓋611に対応する両側面6111、該下蓋612の両側面6121にも凸柱61211及び軸柱61212を設ける。
【０００９】
次に図6の側面図である図7に示すように、該上蓋611は上蓋611のフック61111により該下蓋612の凸柱61211を係合し、また該上蓋611のノッチ61112は該下蓋612の軸柱61212を係合し、該下蓋612と緊密に係合される。
また図6の平面図である図8に示すように、使用者は片手の親指及び人差し指により該上蓋611両側面の棒状突起列611111を押さえ移動方向S4に向けて外力を施すことにより、該上蓋611は簡単に該下蓋612から離脱することができる。
【図面の簡単な説明】
【００１０】
【図１】公知の自動販売機結合カードの指示図である。
【図２】本考案が示すカードリーダーのケース構造の指示図である。
【図３】本考案が示すケース構造の上下蓋構造操作の指示図一である。
【図４】本考案が示すケース構造の上下蓋構造操作の指示図二である。
【図５】本考案が示すケース構造の上下蓋構造蓋合の指示図である。
【図６】本考案が示すカードリーダーのケース構造の立体図である。
【図７】図6の片側側面図である。
【図８】図6の平面図である。
【符号の説明】
【００１１】
10自動販売機
11カードリーダー
111カード認識ユニット
112  センサー
113  プロセッサー
114  上蓋
12  カード
2  カードリーダー機構
22  カードリーダーのケース構造
221  上蓋構造
2211  側面
22111  弾性フック
221111  棒状突起列
22112  係合ノッチ
222下蓋構造
2221  側面
22211  係合凸柱
22212  サポート軸柱
6カードリーダー
61外ケース
611上蓋
6111側面
61111  フック
611111  棒状突起列
61112  ノッチ
612下蓋
6121側面
61211  凸柱
61212  軸柱
S1~S3  移動動作
S4  移動方向
【図１】
0003128568.tif 000003
【図２】
0003128568.tif 000004
【図３】
0003128568.tif 000005
【図４】
0003128568.tif 000006
【図５】
0003128568.tif 000007
【図６】
0003128568.tif 000008
【図７】
0003128568.tif 000009
【図８】
0003128568.tif 000010